(57)【要約】【課題】頻繁に携帯電話機の表示画面を確認する必要があり、不便であった。【解決手段】ステップＳ３で、磁方位で示される方向にある現在位置近傍の施設を地図情報より検索する。そして、その施設名を検索ワードとして、インターネット網５０を介してサーバ６０に接続し、その施設の口コミ情報などを検索して取得する。靴１０のメモリ１７には、ユーザが施設に近づくことを推奨しない第１キーワードが記憶されている。ステップＳ６では、メモリ１７に記憶されている第１キーワードとステップＳ５で取得した施設に関する情報とを比較して、その一致率が所定値より高い場合は次のステップＳ７の処理へ進む。ステップＳ７では、爪先部分のバイブレータ１６Ｆを駆動させることで、靴１０を履いているユーザに正面方向の施設に近づかないように指示を与える。【選択図】 図５
2014235077.tif 000002
【特許請求の範囲】
【請求項１】
ユーザの現在地を検出して、検出された現在地の施設を特定する特定部と、
前記特定部で特定した施設を基に、当該施設に関する施設情報を取得する取得部と、
前記取得部で取得した施設情報を分析する分析部と、
ユーザが身につける服飾品に組み込まれ、ユーザの身体の特定部位に触覚を伝える伝達部と、
前記分析部による分析結果に基づいて、前記施設に近づかないように前記伝達部を駆動する制御部とを有する情報伝達装置。
【請求項２】
請求項１に記載の情報伝達装置において、
前記制御部は、前記分析部による分析結果に基づいて、前記施設に向かうように前記伝達部を駆動することを特徴とする情報伝達装置。
【請求項３】
請求項１または２に記載の情報伝達装置において、
前記施設に関するキーワードを記憶する記憶部を備え、
前記分析部は、前記キーワードと前記取得部で取得された施設情報とを比較して分析することを特徴とする情報伝達装置。
【請求項４】
請求項１乃至３のいずれか一項に記載の情報伝達装置において、
前記伝達部は、靴に内蔵させたバイブレータであることを特徴とする情報伝達装置。
【請求項５】
請求項４に記載の情報伝達装置において、
前記靴に内蔵した音声出力部を備え、前記制御部は前記音声出力部より音声を出力することを特徴とする情報伝達装置。
【請求項６】
請求項４または５に記載の情報伝達装置において、
前記靴に内蔵した方位センサを備え、前記特定部は地図情報を基にユーザの正面に位置する施設を特定することを特徴とする情報伝達装置。
【発明の詳細な説明】
【技術分野】
【０００１】
本発明は、ユーザに施設の情報を伝達する情報伝達装置に関する。
【背景技術】
【０００２】
従来、歩行者が携帯電話機を操作して目的地を設定すると、歩行者の現在位置から目的地までの経路を探索し、地図情報とともに経路を表示画面に表示する誘導システムが知られている（例えば、特許文献１参照）。
【先行技術文献】
【特許文献】
【０００３】
【特許文献１】特開２００９−２００７０号公報
【発明の概要】
【発明が解決しようとする課題】
【０００４】
従来は、施設に関する情報を携帯電話機の表示画面により確認する必要があり、不便であった。
【課題を解決するための手段】
【０００５】
本発明の情報伝達装置は、ユーザの現在地を検出して、検出された現在地の施設を特定する特定部と、特定部で特定した施設を基に、当該施設に関する施設情報を取得する取得部と、取得部で取得した施設情報を分析する分析部と、ユーザが身につける服飾品に組み込まれ、ユーザの身体の特定部位に触覚を伝える伝達部と、分析部による分析結果に基づいて、施設に近づかないように伝達部を駆動する制御部とを有する。
【発明の効果】
【０００６】
本発明によれば、表示に頼ることなくユーザに施設に関する情報を伝達することが可能となる。
【図面の簡単な説明】
【０００７】
【図１】本発明の一実施形態における全体システム構成図を示す図である。
【図２】靴の構成を示すブロック図である。
【図３】携帯端末の構成を示すブロック図である。
【図４】靴内のバイブレータの配置位置を示す図である。
【図５】靴内のＣＰＵによって実行される情報伝達のフローチャートを示す図である。
【発明を実施するための形態】
【０００８】
図面を参照して本発明の一実施形態を説明する。
図１は本実施形態における全体システム構成図を示す図である。この全体システム構成図は、靴１０に組み込まれたバイブレータを用いて、目的の施設２０に関する施設情報を取得し、更に施設情報を分析してその施設２０に近づかないようにユーザに伝達するサービスを提供するものである。当該サービスを受けるユーザは、携帯端末３０を所持するとともに、専用の靴１０を履いて歩行している。
【０００９】
靴１０にはＧＰＳ受信機が組み込まれており、ＧＰＳ衛星４０から送信される情報を受信して、現在地を検出する。更に、靴１０にはインターネット網５０と接続する通信部を内蔵している。インターネット網５０にはサーバ６０が接続され、施設２０に関する情報、例えば口コミ情報などが蓄積されている。
【００１０】
施設２０は、例えば飲食店、遊戯店、商品販売店、美術館、博物館、駅、空港、公園、イベント会場などである。複数の階を有する施設２０の場合は、例えば各階の天井に複数のＩＭＥＳ（Indoor MEssaging System：屋内測位技術）送信器２１が設置されている。ＩＭＥＳ送信器２１は、ＧＰＳ衛星４０と同じ電波を出し、その設置場所の緯度・経度・高さ（階数）などの位置情報を送信する。この位置情報を靴１０に組み込んだＧＰＳ受信機で受信することで、靴１０において位置を特定することができる。
【００１１】
図２は、靴１０の構成を示すブロック図である。図２に示すように、左右の靴１０には、インターネット網５０と接続する第１通信部１１、携帯端末３０と接続する第２通信部１２、方位センサ１３、ＧＰＳ受信機１４、音声出力部１５、バイブレータ１６、ＲＯＭやＲＡＭから成るメモリ１７、ＣＰＵ１８が内蔵されると共に、これらを動作させるための電源が着脱可能に組み込まれている。
【００１２】
方位センサ１３は、例えば靴１０の爪先が向いている方向（多くは、靴１０を履いているユーザが向いている正面の方向）を磁方位で検出する。メモリ１７には、本サービスを実現するための専用のプログラムが組み込まれている他、地図情報や、後述するキーワードが記憶されている。
【００１３】
図３は、携帯端末３０の構成を示すブロック図である。図３に示すように、携帯端末３０は、靴１０と接続する第３通信部３１、操作部３２、液晶ディスプレイ等の表示部３３、音声出力部３４、ＲＯＭやＲＡＭから成るメモリ３５、ＣＰＵ３６などを内蔵している。第３通信部３１は、無線を介して靴１０に内蔵された第２通信部１２（図２）と通信を行う機能を有する。
【００１４】
図４は、靴１０内のバイブレータの配置位置を示す図である。バイブレータ１６は、モータで重りを偏心回転させるタイプのもの（偏心バイブレータ）を用いることができ、これを靴底に設けることで、足の裏に触覚として振動を伝えることができる。本実施形態では、左右の靴１０の爪先部分と踵部分の２箇所にバイブレータ１６（１６Ｆ、１６Ｒ）が設けられている。
【００１５】
爪先部分のバイブレータ１６Ｆを駆動させることで、靴１０を履いているユーザに正面方向の施設に近づかないように指示を与えることができる。また、踵部分のバイブレータ１６Ｒを駆動させることで、靴１０を履いているユーザに正面方向の施設に近づくように指示を与えることができる。なお、爪先部分と踵部分のバイブレータ１６Ｆ、１６Ｒを同時に駆動させることで、靴１０を履いているユーザに正面方向の施設に近づかないように指示を与えることもできる。
【００１６】
以下、図５に示すフローチャートを参照して本実施形態の動作を説明する。図５は、靴１０内のＣＰＵ１８によって実行される情報伝達のフローチャートを示す図である。
【００１７】
ユーザが靴１０の図示省略した案内開始のスイッチをオンすると、ＣＰＵ１８によって図５のフローチャートで示すプログラムが実行される。ＣＰＵ１８は、ステップＳ１でＧＰＳ衛星４０からの情報に基づいてＧＰＳ受信機１４により現在位置情報を検出する。次のステップＳ２で、方位センサ１３より、靴１０の爪先が向いている方向を磁方位で検出する。
【００１８】
そして、次のステップＳ３で、磁方位で示される方向にある現在位置近傍の施設をメモリ１７に記憶されている地図情報より検索する。磁方位で示される方向にある現在位置近傍の施設は、靴１０を履いているユーザの正面に位置している施設である。ステップＳ４で、ユーザの正面に位置している施設が無ければ、ステップＳ１の処理に戻る。ステップＳ４で、ユーザの正面に位置している施設があれば、次のステップＳ５の処理を行う。
【００１９】
ステップＳ５では、ユーザの正面に位置している施設に関する情報を取得する。すなわち、ユーザの正面に位置している施設、例えば、店名等の施設名を検索ワードとして、第１通信部１１からインターネット網５０を介してサーバ６０に接続する。そして、サーバ６０より当該施設に関する情報、例えば施設が店である場合はその店の口コミ情報などを検索して取得する。
【００２０】
一方、靴１０のメモリ１７には、第１キーワードと第２キーワードが予め記憶されている。第１キーワードは、ユーザが施設に近づくことを推奨しないキーワードであり、例えば飲食店の場合は、「まずい」、「美味しくない」、「高い」などである。第２キーワードは、ユーザが施設に近づくことを推奨するキーワードであり、例えば飲食店の場合は、「安い」、「美味しい」などである。このように第１キーワード及び第２キーワードは、施設に関するキーワードが施設の種類別に予め複数記憶されている。
【００２１】
これらのキーワードは携帯端末３０の操作部３２を操作して予め入力され、携帯端末３０の第３通信部３１より無線で靴１０の第２通信部１２と接続されて、靴１０のメモリ１７に記憶される。
【００２２】
ステップＳ６では、メモリ１７に記憶されている第１キーワードとステップＳ５で取得した施設に関する情報とを比較する。施設に関する情報が複数存在し、その各々が第１キーワードと一致するか比較され、その一致率が所定値より高い場合は次のステップＳ７の処理へ進む。例えば、ステップＳ５で取得した施設に関する情報がＡ〜Ｊの１０個の情報であったとすると、この中の８個が第１キーワードのいずれかと一致する場合は一致率が０.８となり、一致率は高いと判定される。
【００２３】
ステップＳ７では、爪先部分のバイブレータ１６Ｆを駆動させることで、バイブレータ１６Ｆの振動をユーザの足裏に触覚として伝達して、靴１０を履いているユーザに正面方向の施設に近づかないように指示を与える。なお、爪先部分と踵部分のバイブレータ１６Ｆ、１６Ｒを同時に駆動させることで、靴１０を履いているユーザに正面方向の施設に近づかないように指示を与えてもよい。
【００２４】
次のステップＳ８では、靴１０に内蔵された音声出力部３４より、正面方向の施設に近づかないように促す第１音声のメッセージを出力する。なお、音声出力部３４が備えているスピーカは、靴の甲部分に設けられ上方に指向性を持たせたものである。
【００２５】
一方、ステップＳ６で、一致率が所定値より低い場合は次のステップＳ９の処理へ進む。例えば、ステップＳ５で取得した施設に関する情報がＡ〜Ｊの１０個の情報であったとすると、この中の１個が第１キーワードのいずれかと一致する場合は一致率が０.１となり、一致率は低いと判定される。ステップＳ９では、メモリ１７に記憶されている第２キーワードとステップＳ５で取得した施設に関する情報とを比較する。第２キーワードは、ユーザが施設に近づくことを推奨するキーワードである。施設に関する情報が複数存在し、その各々が第２キーワードと一致するか比較され、その一致率が所定値より高い場合は次のステップＳ１０の処理へ進む。
【００２６】
ステップＳ１０では、踵部分のバイブレータ１６Ｒを駆動させることで、靴１０を履いているユーザに正面方向の施設に近づくように指示を与える。次のステップＳ１１では、靴１０に内蔵された音声出力部３４より、正面方向の施設に近づくように促す第２音声のメッセージを出力する。
【００２７】
ステップＳ１２ではユーザが靴１０の図示省略した案内開始のスイッチをオフしたか判定し、スイッチのオフによる案内が終了していなければ、ステップＳ１に戻り上述した処理を繰り返す。
【００２８】
（変形例）
以上説明した実施形態を次のように変形して実施することができる。
（１）地図情報やキーワードを靴１０のメモリ１７に記憶する例で説明したが、地図情報やキーワードは携帯端末３０のメモリ３５に記憶しても良い。この場合は、靴１０の第２通信部１２は携帯端末３０の第３通信部３１と無線で接続され、必要に応じて地図情報やキーワードが靴１０に送信される。
【００２９】
（２）靴にバイブレータを組み込む例を示したが、靴に代えて他の服飾品（衣服および装飾品）でもよい。例としては、帽子、ヘアバンド、眼鏡、服等が挙げられる。
【００３０】
（３）バイブレータを例に説明したが、バイブレータに限らず、ユーザの身体の特定部位に触覚を伝えるものであればよい。例えば、モータによって人体に摩擦やひねりを与えるものであっても良い。
【００３１】
（４）インターネット網５０を介してサーバ６０より、施設の口コミ情報などを検索するようにしたが、口コミ情報に限らず、インフルエンザの流行情報、天気予報などでもよい。インフルエンザの流行情報を取得した場合は、インフルエンザが流行している施設に近づかないようにバイブレータ１６を駆動する。天気予報の場合は、施設に雨雲が近づきつつある時はその施設に近づかないようにバイブレータ１６を駆動する。
【００３２】
以上説明した本発明の情報伝達装置は、ＧＰＳ受信機１４によりユーザの現在地を検出して、検出された現在地の施設を方位センサ１３と地図により特定し、特定した施設を基に、施設に関する口コミなどの施設情報をインターネット網５０を介して取得し、取得した施設情報をキーワードと比較することにより分析し、靴１０などの服飾品に組み込まれたバイブレータ１６によりユーザの身体の特定部位に触覚を伝え、分析結果に基づいて、施設に近づかないようにバイブレータ１６を駆動する。したがって、表示に頼ることなくユーザに施設に関する情報を伝達することが可能となる。
【００３３】
本発明は、上記の実施形態に限定されるものではなく、本発明の特徴を損なわない限り、本発明の技術思想の範囲内で考えられるその他の形態についても、本発明の範囲内に含まれる。
【符号の説明】
【００３４】
１０  靴  
１１  第１通信部  
１２  第２通信部  
１３  方位センサ  
１４  ＧＰＳ受信機  
１５  音声出力部    
１６  バイブレータ  
２０  施設  
３０  携帯端末  
３１  第３通信部    
３２  操作部  
３３  表示部  
４０  ＧＰＳ衛星  
５０  インターネット網  
６０  サーバ  
【図１】
2014235077.tif 000003
【図２】
2014235077.tif 000004
【図３】
2014235077.tif 000005
【図４】
2014235077.tif 000006
【図５】
2014235077.tif 000007